(57)【要約】本発明は、ａ）足に沿ったアッパーパート（１）と、ｂ）縦方向に略凸状に湾曲したソールを有するアウトソール（２）と、ｃ）アッパーパートとアウトソールの間に配置されるミッドソール（６）と、を備え、アウトソール（２）とミッドソール（６）は、両者の間に、縦方向の後方又は中央から１／３の位置に、ユーザの体重によって圧縮可能なキャビティ領域（５）を囲い込むことを特徴とする靴に関する。
2013530797.tif 000002
【特許請求の範囲】
【請求項１】
ａ）足に沿ったアッパーパート（１）と、
ｂ）縦方向に略凸状に湾曲したソールベースを有するアウトソール（２）と、
ｃ）前記アッパーパートと前記アウトソールの間に配置されるミッドソール（６）と、
を備え、
前記アウトソール（２）と前記ミッドソール（６）は、両者の間に、縦方向の後方又は中央から１／３の位置に、ユーザの体重によって圧縮可能なキャビティ領域（５）を囲い込むことを特徴とする靴。
【請求項２】
前記圧縮キャビティ領域（５）は、縦方向の後半部領域に配置されていることを特徴とする請求項１に記載の靴。
【請求項３】
前記圧縮キャビティ領域（５）は、縦方向の前方から後方にかけて、靴の直立方向に、増大し、最大値となった後、減少する突出部を有することを特徴とする請求項１又は２に記載の靴。
【請求項４】
前記圧縮キャビティ領域（５）は、全長の、２０から５０％、好ましくは、２５から４０％、より好ましくは２５から３５％の突出部を有することを特徴とする請求項１から３のいずれか１項に記載の靴。
【請求項５】
圧縮キャビティ領域（５）は、横方向に、全長の、６０から１００％、好ましくは、７５から１００％、より好ましくは、９０から１００％の突出部を有することを特徴とする請求項１から４のいずれか１項に記載の靴。
【請求項６】
キャビティの容量は、０．１から１０ｃｍ３、好ましくは、０．２から８ｃｍ３、より好ましくは、０．２から５ｃｍ３であることを特徴とする請求項１から５のいずれか１項に記載の靴。
【請求項７】
前記圧縮キャビティ領域（５）は、前記直立方向に突出し、キャビティを囲い込む多数の横材（４）を有することを特徴とする請求項１から６のいずれか１項に記載の靴。
【請求項８】
前記横材（４）は、縦方向又は横方向に延びていることを特徴とする請求項７に記載の靴。
【請求項９】
前記横材（４）の間隔は、０．５から２．５ｃｍ、好ましくは、１から２ｃｍであることを特徴とする請求項７又は８に記載の靴。
【請求項１０】
前記横材（４）の最大高さは、０．５から２．５ｃｍ、好ましくは、１から２ｃｍであることを特徴とする請求項７から９のいずれか１項に記載の靴。
【請求項１１】
前記横材（４）の厚さは、２から６ｍｍ、好ましくは、２から４ｍｍであることを特徴とする請求項７から１０のいずれか１項に記載の靴。
【請求項１２】
前記横材（４）は、アウトソール（２）に一体的に連結されていることを特徴とする請求項７から１１のいずれか１項に記載の靴。
【請求項１３】
前記アウトソール（２）又はミッドソール（６）はポリマー材料からなることを特徴とする請求項１から１２のいずれか１項に記載の靴。
【請求項１４】
前記ポリマー材料は、エチレン酢酸ビニール（ＥＶＡ）であることを特徴とする請求項１３に記載の靴。
【請求項１５】
前方領域に配置される第２の圧縮キャビティ領域（９）をさらに備えたことを特徴とする請求項１から１４のいずれか１項に記載の靴。
【発明の詳細な説明】
【技術分野】
【０００１】
本発明は、
ａ）足に沿ったアッパーパートと、
ｂ）縦方向に略凸状に湾曲したソールを有するアウトソールと、
ｃ）前記アッパーパートと前記アウトソールの間に配置されるミッドソールと、
を有する靴に関するものである。
【背景技術】
【０００２】
靴は以前から使用されている。また、例えば、欧州特許第１１２４４６２号公報から、いわゆるMBT(Masai Barefoot Technology：マサイベアフットテクノロジー)の靴が公知である。その靴は、歩行方向に凸状に丸くされたソール形状であり、そこには柔らかなヒール部が挿入されている。身体を積極的に平衡状態に保持しなければならないため、この柔らかな靴底構造は、歩行中に足に作用する支持を抑え、筋肉を強化するようにしている。
【先行技術文献】
【特許文献】
【０００３】
【特許文献１】欧州特許第１１２４４６２号公報
【発明の概要】
【発明が解決しようとする課題】
【０００４】
本発明の目的は、簡単、効率的、しかも費用効果の高い方法で、マサイベアフットテクノロジーを利用して不安定な足取りパターンを可能とする、導入部で記載したタイプの靴を作成することである。
【課題を解決するための手段】
【０００５】
この目的は、導入部で記載された靴のために、アウトソールとミッドソールがそれらの間を取り囲み、靴の縦方向の後方又は中央の１／３で、ユーザの体重によって圧縮可能なキャビティ領域を得るようにした本発明によって達成される。
【０００６】
まず、本発明の説明で使用される用語の幾つかについて説明する。靴とは、歩行目的に適した履き物類全般である。その用語は塞がった靴や、開放した靴、例えば、サンダルを含む。
【０００７】
アッパーパートは、足部を取り囲む靴の領域である。それは、革、合成樹脂、織物、又は、他の適切な材料で構成すればよい。
【０００８】
アウトソールは支持構造の表面に接触する。アウトソールは、縦方向に凸状に湾曲し、千鳥足パターンを可能とする。その湾曲は、アウトソールの全長に亘って連続して延びるか、あるいは、不連続な領域を有することを可能とする。
【０００９】
ミッドソールは、アッパーパートとアウトソールの間に配置されている。ミッドソールは、例えば、フットベッドを形成するように設計してもよい。例えば、インナーソールやインソール等を、ミッドソール上に配置することもできる。
【００１０】
アウトソールとミッドソールの間には、ユーザの体重によって圧縮可能なキャビティ領域が囲い込まれている。キャビティ領域は、ユーザの歩行中にその体重で変形して不安定になる。囲い込みとは、キャビティ領域がアウトソールの下側で、かつ、ミッドソールの上側下方に配置されることを意味する。それらは、アウトソール、ミッドソール、あるいは、その両方の内部へと広げることができる。本発明の主要部は、靴の不安定領域を、アウトソール又はミッドソールの部分的な中空形状によって真っ直ぐに形成するならば、ソール内にソフト・インサートとして配置された別材料によって形成するべきでないということである。その領域は、靴の後方側２／３、好ましくは、半分の領域に配置されている。このため、その圧縮性は、特に、足の踵領域で不安定となる。
【００１１】
圧縮キャビティ領域が、靴の直立方向（直立方向は、靴の固定表面に対して直交している。）に延びているならば、圧縮キャビティ領域の縦方向の前方から後方にかけて見られるように、まず、増大し、最大となった後、再び減少するのが好ましい。このため、縦断面図では、圧縮キャビティ領域は、例えば、クッシュン形状に近いものであってもよい。
【００１２】
縦方向では、圧縮キャビティ領域は、靴の全長に対して、２０から５０％、好ましくは、２４から４０％、より好ましくは２５から３５％の長さを有しているのがよい。
【００１３】
横方向（靴の幅方向）では、圧縮キャビティ領域は、靴の全幅に対して、６０から１００％、好ましくは、７５から１００％、より好ましくは、９０から１００％の長さを有しているのがよい。１００％とは、その領域がほぼ靴の全幅に亘って延びていることを意味し、それは、勿論、アウトソールとミッドソールの対向領域が閉鎖されているのが好ましいということ、すなわち、キャビティが側方又は外方に開口していないということを意味する。
【００１４】
キャビティの容量は、０．１から１０ｃｍ３、好ましくは０．２から８ｃｍ３、より好ましくは０．２から５ｃｍ３であればよい。圧縮キャビティ領域がほぼクッション形状で形成されている場合、例えば、０．１から０．２又は０．３ｃｍ３の間の相対的に小さなキャビティ領域は、通常、角領域に配置される。前方から後方の周囲の領域では、キャビティ領域の容量は、０．４から０．８ｃｍ３の間であればよい。中央部の領域では、例えば、２から８ｃｍ３、好ましくは、３から７ｃｍ３、より好ましくは、４から６ｃｍ３、特に、約５ｃｍ３であるのがよい。
【００１５】
本発明の好ましい実施形態の場合、圧縮キャビティ領域は、靴の直立方向に突出し、キャビティ領域の壁を形成し、キャビティ領域を囲い込む多数の横材を有する。横材は、基本的に、靴の縦方向又は横方向に延びていればよい。
【００１６】
本発明では、横材の間隔は、０．５から２．５ｃｍ、好ましくは、１から２ｃｍであればよい。
【００１７】
最も高い領域（すなわち、その領域がクッション形状であるならば、ほぼ中央部）での横材の高さは、０．５から２．５ｃｍ、好ましくは、１から２ｃｍであればよい。（靴平面での）横材の厚みは、好ましくは、２から６ｍｍ、より好ましくは、２から４ｍｍであればよい。
【００１８】
本発明に係る横材は、アウトソールに一体化されていてもよい。これは、横材が合うとソールの一部であることを意味する。これに代えて、横材はミッドソールの一部として一体的に連結することが可能である。また、圧縮キャビティ領域の圧縮性は、（通常、アウトソール又はミッドソールの一部である）横材の材料を選択することにより調整可能である。例えば、材料は、ショア硬さ４０から８０、好ましくは、５０から７０であればよい。
【００１９】
アウトソール又はミッドソールは、ポリマー材料で形成すればよい。これは、硬質又は発泡樹脂であればよく、適切なポリマー材料は、名称Ｐｈｙｌｏｎで手に入れることができるエチレン酢酸ビニール（ＥＶＡ）である。
【００２０】
本発明の他の実施形態の場合、靴は、前方領域に圧縮キャビティ領域をさらに有する。これは、圧縮キャビティ領域が、足の踵領域だけではなく、不安定である足の裏の前方領域にもあるということを意味する。
【図面の簡単な説明】
【００２１】
【図１】本発明に係る靴の縦断面図である。
【図２】アウトソール、ミッドソール、インナーソール、及び、インソールの概略構成図である。
【図３】寸法を記載したアウトソールの図である。
【図４】寸法を記載したアウトソール平面図である。
【図５】本発明の第２実施形態に係るアウトソール及びミッドソールの概略構成図である。
【発明を実施するための形態】
【００２２】
以下、本発明の実施形態について、貼付図面を参照に従って説明する。
【００２３】
本発明に係る靴は、詳細については後述するが、ソール構造にアッパーパート１を有する。アウトソール２は、靴が支持構造の表面から起立した表面を形成する。アウトソール２の歩行面は、基本的に、縦方向に凸状に湾曲していることが分かる。この湾曲は、完全には連続しておらず、むしろ不連続であり、基本的に平面領域３によって置き換えられることが分かる。
【００２４】
アウトソール２の後方領域では、上方に方向付けされた横材４が設けられており、それは縦方向及び横方向（図２参照）に延び、それらの間にキャビティ５を囲い込んでいる。囲い込まれたキャビティ５を備えた横材４の領域は、弾性コンプライアンスを強化された、ほぼクッション形状（図２参照）の領域を提供する。
【００２５】
ミッドソール６は、アウトソール２の上方に配置されている。アウトソール２に対向する領域では、ミッドソール６は、圧縮キャビティ領域に沿い、横材４の上縁でほぼ終端するように形成されている。また、インナーソール７と、適宜設けられる（フットベッドを形成する）インソール８とが、ミッドソール６の上方に配置されている。
【００２６】
キャビティ５は、靴がユーザによって荷重を受けるときに圧縮することができる。これは、横材４が上方から圧縮荷重を受けて変形し、キャビティ５のサイズがその間減少することを意味する。
【００２７】
靴の個々の構成部品は、例えば、接着により、お互いに連結されている。典型的な実施形態では、アウトソール２は、例えば、ショア硬さ６１のゴム等の適切な材料で形成でき、ミッドソール６は、例えば、ショア硬さ５５のエチレン酢酸ビニール（商標名Phylon）等のポリマーで形成できる。
【００２８】
図３及び図４は、アウトソールと、アウトソールに配置される圧縮キャビティ領域の種々の寸法を示す。これらの寸法は靴サイズ４３の例に当てはまる。全ての寸法はｍｍ単位である。
【００２９】
図３及び図４では、例えば、中央部のキャビティの容量が約５．７ｃｍ３（１７×１８×１７．５ｍｍ）であることが分かる。
【００３０】
図５は、本発明の第２実施形態に係るアウトソール２とミッドソール６の概略を示す。この実施形態は、第１実施形態とは、アウトソール２が前方領域に圧縮キャビティ領域９を有する以外は同じである。アウトソール２に対向する領域では、ミッドソール６は、適宜、圧縮キャビティ領域５又は９に沿い、前方領域と後方領域の両方で、横材４の上縁でほぼ終端するように形成されている。
【符号の説明】
【００３１】
１…アッパーパート
２…アウトソール
３…平面領域
４…横材
５…キャビティ領域
６…ミッドソール
【図１】
2013530797.tif 000003
【図２】
2013530797.tif 000004
【図３】
2013530797.tif 000005
【図４】
2013530797.tif 000006
【図５】
2013530797.tif 000007
【国際調査報告】
2013530797.tif 000008
2013530797.tif 000009
2013530797.tif 000010
2013530797.tif 000011
2013530797.tif 000012
2013530797.tif 000013